(57)【要約】受信機は、連続するパイロットバーストを使用してその等化器を訓練し、連続するパイロットバースト間のトラフィックを複数のサブセグメントに分割し、１つまたは複数のサブセグメントを等化するための係数を得るために、訓練された等化器係数を補間し得る。また、前記受信機は、連続するパイロットバーストの各々に基づいて信号対干渉およびノイズ比（ＳＩＮＲ）値を決定し、１つまたは複数のサブセグメントを復号するためのＳＩＮＲを補間し得る。前記受信機は、符号分割多元接続（ＣＤＭＡ）セルラーシステムにおいて動作するアクセス端末受信機でもよい。【選択図】  図４
2011509566.tif 000002
【特許請求の範囲】
【請求項１】
ワイヤレス通信システムにおいて受信機を動作させるための方法であって、
複数のタイムスロットを含むフレームを受信すること，前記複数のタイムスロットの各タイムスロットは２つのハーフスロットを備え、各ハーフスロットは、２つのトラフィックセグメントと、前記２つのトラフィックセグメント間の１つのパイロットバーストとを備え、ここにおいて、前記複数のタイムスロットは、第１のハーフスロットと、前記第１のハーフスロットに続く第２のハーフスロットとを備え、前記第１のハーフスロットは、第１のパイロットバーストと、前記第１のパイロットバーストに続く第１のトラフィックセグメントとを備え、前記第２のハーフスロットは、第２のトラフィックセグメントと、前記第２のトラフィックセグメントに続く第２のパイロットバーストとを備える，と；
前記第１のトラフィックセグメントと前記第２のトラフィックセグメントとを複数のサブセグメントに分割すること，前記複数のサブセグメントは第１のサブセグメントと前記第１のサブセグメントに続く第２のサブセグメントとを備える，と；
第１の複数の訓練されたタップ係数を得るために、前記受信機の等化器を前記第１のパイロットバースト上で訓練することと；
第２の複数の訓練されたタップ係数を得るために、前記受信機の前記等化器を前記第２のパイロットバースト上で訓練することと；
前記第１のサブセグメントのための補間されたタップ係数の第１のセットを得るために、前記第１の複数の訓練されたタップ係数と前記第２の複数の訓練されたタップ係数との間で補間することと；
補間されたタップ係数の前記第１のセットを使用することによって前記第１のサブセグメントを等化することと
のステップを備える方法。
【請求項２】
前記第１のハーフスロットと前記第２のハーフスロットとは他のいずれのハーフスロットによって隔てられておらず、前記方法は、前記複数のサブセグメント中の少なくともいくつかのデータをユーザに与えることをさらに備える、請求項１に記載の方法。
【請求項３】
補間する前記ステップは線形補間を使用することを備える、請求項２に記載の方法。
【請求項４】
補間する前記ステップは３次元補間を使用することを備える、請求項２に記載の方法。
【請求項５】
補間する前記ステップは線形補間を平均化と併用することを備える、請求項２に記載の方法。
【請求項６】
分割する前記ステップは、前記第２のサブセグメントが前記第１のハーフスロットからの第１の部分と前記第２のハーフスロットからの第２の部分とを備えるように実行される、請求項２に記載の方法。
【請求項７】
前記第１のハーフスロットは第１のタイムスロットに属し；
前記第２のハーフスロットは前記第１のタイムスロットに続く第２のタイムスロットに属し；および
分割する前記ステップは、前記第２のサブセグメントが前記第１のハーフスロットからの第１の部分と前記第２のハーフスロットからの第２の部分とを備えるように実行される、
請求項２に記載の方法。
【請求項８】
分割する前記ステップは、前記複数のサブセグメントが前記第１のサブセグメントに先行する第３のサブセグメントをさらに備えるように実行され、前記方法は、
前記第２のサブセグメントのための補間されたタップ係数の第２のセットを得るために、前記第１の複数の訓練されたタップ係数と前記第２の複数の訓練されたタップ係数との間で補間することと；
補間されたタップ係数の前記第２のセットを使用することによって前記第２のサブセグメントを等化することと；
前記第３のサブセグメントのための補間されたタップ係数の第３のセットを得るために、前記第１の複数の訓練されたタップ係数と前記第２の複数の訓練されたタップ係数との間で補間することと；
補間されたタップ係数の前記第３のセットを使用することによって前記第３のサブセグメントを等化することと
のステップをさらに備える、請求項２に記載の方法。
【請求項９】
分割する前記ステップは、前記複数のサブセグメントが前記第１のサブセグメントに先行する第３のサブセグメントをさらに備えるように実行され、前記方法は、
前記第２の複数の訓練されたタップ係数を使用することによって前記第２のサブセグメントを等化することと；
前記第１の複数の訓練されたタップ係数を使用することによって前記第３のサブセグメントを等化することと
のステップをさらに備える、請求項２に記載の方法。
【請求項１０】
前記等化器において前記第１のパイロットバーストと前記第２のパイロットバーストとの間をタップシフトが起こるときを判定することと；
前記等化器を前記第２のパイロットバースト上で訓練する前記ステップに先立って、前記タップシフトによって示された方向に等化器係数をシフトすることと；
等化器履歴を前記タップシフトによって示された前記方向にシフトすることと
のステップをさらに備える、請求項２に記載の方法。
【請求項１１】
第１の測定されたＳＩＮＲを得るために、前記第１のパイロットバーストの信号対干渉およびノイズ比を測定することと；
第２の測定されたＳＩＮＲを得るために、前記第２のパイロットバーストの信号対干渉およびノイズ比を測定することと；
前記第１のサブセグメントのための第１の補間されたＳＩＮＲを得るために、前記第１の測定されたＳＩＮＲと前記第２の測定されたＳＩＮＲとの間で補間することと
のステップをさらに備える、請求項２に記載の方法。
【請求項１２】
スケーリングされたデータの第１のセットを得るために、前記第１の補間されたＳＩＮＲによって前記第１のサブセグメントに対応する前記等化器の出力をスケーリングすることと；
スケーリングされたデータの前記第１のセットの第１の対数尤度比を計算することと；
前記第１の対数尤度比を使用して前記第１のサブセグメントを復号することと
のステップをさらに備える、請求項１１に記載の方法。
【請求項１３】
前記第１の測定されたＳＩＮＲと前記第２の測定されたＳＩＮＲとの間で補間する前記ステップは、線形領域において補間することを備える、請求項１２に記載の方法。
【請求項１４】
分割する前記ステップは、前記複数のサブセグメントが前記第１のサブセグメントに先行する第３のサブセグメントをさらに備えるように実行され、前記方法は、
前記第２のサブセグメントのための第２の補間されたＳＩＮＲを得るために、前記第１の測定されたＳＩＮＲと前記第２の測定されたＳＩＮＲとの間で補間することと；
前記第３のサブセグメントのための第３の補間されたＳＩＮＲを得るために、前記第１の測定されたＳＩＮＲと前記第２の測定されたＳＩＮＲとの間で補間することと；
スケーリングされたデータの第２のセットを得るために、前記第２の補間されたＳＩＮＲによって前記第２のサブセグメントに対応する前記等化器の出力をスケーリングすることと；
スケーリングされたデータの第３のセットを得るために、前記第３の補間されたＳＩＮＲによって前記第３のサブセグメントに対応する前記等化器の出力をスケーリングすることと；
スケーリングされたデータの前記第２のセットの対数尤度比を計算することと；
スケーリングされたデータの前記第３のセットの対数尤度比を計算することと
のステップをさらに備える、請求項１２に記載の方法。
【請求項１５】
分割する前記ステップは、前記複数のサブセグメントが前記第１のサブセグメントに先行する第３のサブセグメントをさらに備えるように実行され、前記方法は、
スケーリングされたデータの第２のセットを得るために、前記第２の測定されたＳＩＮＲによって前記第２のサブセグメントに対応する前記等化器の出力をスケーリングすることと；
スケーリングされたデータの第３のセットを得るために、前記第１の測定されたＳＩＮＲによって前記第３のサブセグメントに対応する前記等化器の出力をスケーリングすることと；
スケーリングされたデータの前記第２のセットの対数尤度比を計算することと；
スケーリングされたデータの前記第３のセットの対数尤度比を計算することと
のステップをさらに備える、請求項１２に記載の方法。
【請求項１６】
ワイヤレス通信システムにおいて受信機を動作させるための方法であって、前記方法は、
複数のタイムスロットを含むフレームを受信すること，前記複数のタイムスロットの各タイムスロットは２つのハーフスロットを備え、各ハーフスロットは、２つのトラフィックセグメントと、前記２つのトラフィックセグメント間の１つのパイロットバーストとを備え、ここにおいて、前記複数のタイムスロットは、第１のハーフスロットと、前記第１のハーフスロットに続く第２のハーフスロットとを備え、前記第１のハーフスロットは、第１のパイロットバーストと、前記第１のパイロットバーストに続く第１のトラフィックセグメントとを備え、前記第２のハーフスロットは、第２のトラフィックセグメントと、前記第２のトラフィックセグメントに続く第２のパイロットバーストとを備える，と；
前記第１のトラフィックセグメントと前記第２のトラフィックセグメントとを複数のサブセグメントに分割すること，前記複数のサブセグメントは第１のサブセグメントと前記第１のサブセグメントに続く第２のサブセグメントとを備える，と；
第１の測定されたＳＩＮＲを得るために、前記第１のパイロットバーストの信号対干渉およびノイズ比を測定することと；
第２の測定されたＳＩＮＲを得るために、前記第２のパイロットバーストの信号対干渉およびノイズ比を測定することと；
前記第１のサブセグメントのための第１の補間されたＳＩＮＲを得るために、前記第１の測定されたＳＩＮＲと前記第２の測定されたＳＩＮＲとの間で補間することと；
前記複数のサブセグメント中の少なくともいくつかのデータをユーザに与えることと
のステップを備える方法。
【請求項１７】
前記受信機は等化器を備え、前記方法は、
スケーリングされたデータの第１のセットを得るために、前記第１の補間されたＳＩＮＲによって前記第１のサブセグメントに対応する前記等化器の出力をスケーリングすることと；
スケーリングされたデータの前記第１のセットの第１の対数尤度比を計算することと；
前記第１の対数尤度比を使用して前記第１のサブセグメントを復号することと
のステップをさらに備える、請求項１６に記載の方法。
【請求項１８】
前記第１の測定されたＳＩＮＲと前記第２の測定されたＳＩＮＲとの間で補間する前記ステップは、線形領域において補間することを備える、請求項１７に記載の方法。
【請求項１９】
前記複数のサブセグメントは、前記第１のサブセグメントに先行する第３のサブセグメントをさらに備え、前記方法は、
前記第２のサブセグメントのための第２の補間されたＳＩＮＲを得るために、前記第１の測定されたＳＩＮＲと前記第２の測定されたＳＩＮＲとの間で補間することと；
前記第３のサブセグメントのための第３の補間されたＳＩＮＲを得るために、前記第１の測定されたＳＩＮＲと前記第２の測定されたＳＩＮＲとの間で補間することと；
スケーリングされたデータの第２のセットを得るために、前記第２の補間されたＳＩＮＲによって前記第２のサブセグメントに対応する前記等化器の出力をスケーリングすることと；
スケーリングされたデータの第３のセットを得るために、前記第３の補間されたＳＩＮＲによって前記第３のサブセグメントに対応する前記等化器の出力をスケーリングすることと；
スケーリングされたデータの前記第２のセットの対数尤度比を計算することと；
スケーリングされたデータの前記第３のセットの対数尤度比を計算することと
のステップをさらに備える、請求項１７に記載の方法。
【請求項２０】
前記複数のサブセグメントは、前記第１のサブセグメントに先行する第３のサブセグメントをさらに備え、前記方法は、
スケーリングされたデータの第２のセットを得るために、前記第２の測定されたＳＩＮＲによって前記第２のサブセグメントに対応する前記等化器の出力をスケーリングすることと；
スケーリングされたデータの第３のセットを得るために、前記第１の測定されたＳＩＮＲによって前記第３のサブセグメントに対応する前記等化器の出力をスケーリングすることと；
スケーリングされたデータの前記第２のセットの対数尤度比を計算することと；
スケーリングされたデータの前記第３のセットの対数尤度比を計算することと
のステップをさらに備える、請求項１７に記載の方法。
【請求項２１】
受信機と；
メモリと；
前記受信機と前記メモリとに結合されたコントローラと
を備え、前記コントローラは、
複数のタイムスロットを受信し，前記複数のタイムスロットの各タイムスロットは２つのハーフスロットを備え、各ハーフスロットは、２つのトラフィックセグメントと、前記２つのトラフィックセグメント間の１つのパイロットバーストとを備え、ここにおいて、前記複数のタイムスロットは、第１のハーフスロットと前記第１のハーフスロットの後に続く第２のハーフスロットとを備え、前記第１のハーフスロットは、第１のパイロットバーストと、前記第１のパイロットバーストに続く第１のトラフィックセグメントとを備え、前記第２のハーフスロットは、第２のトラフィックセグメントと、前記第２のトラフィックセグメントに続く第２のパイロットバーストとを備える；
前記第１のトラフィックセグメントと前記第２のトラフィックセグメントとを複数のサブセグメントに分割し，前記複数のサブセグメントは、第１のサブセグメントと前記第１のサブセグメントに続く第２のサブセグメントとを備える；
第１の複数の訓練されたタップ係数を得るために、等化器を前記第１のパイロットバースト上で訓練し；
第２の複数の訓練されたタップ係数を得るために、前記等化器を前記第２のパイロットバースト上で訓練し；
前記第１のサブセグメントのための補間されたタップ係数の第１のセットを得るために、前記第１の複数の訓練されたタップ係数と前記第２の複数の訓練されたタップ係数との間で補間し；かつ
補間されたタップ係数の前記第１のセットを用いて前記等化器を使用することによって前記第１のサブセグメントを等化する
ように構成された、ワイヤレス端末。
【請求項２２】
前記第１のハーフスロットと前記第２のハーフスロットとは他の何れのハーフスロットによって隔てられておらず、前記コントローラは、前記３つ以上のサブセグメント中の少なくともいくつかのデータをユーザに与えるようにさらに構成された、請求項２１に記載のワイヤレス端末。
【請求項２３】
前記コントローラは線形補間を使用することによって補間するように構成された、請求項２２に記載のワイヤレス端末。
【請求項２４】
前記コントローラは３次元補間を使用することによって補間するように構成された、請求項２２に記載のワイヤレス端末。
【請求項２５】
前記コントローラは線形補間を平均化と併用することによって補間するように構成された、請求項２２に記載のワイヤレス端末。
【請求項２６】
前記コントローラは、前記第２のサブセグメントが前記第１のハーフスロットからの第１の部分と前記第２のハーフスロットからの第２の部分とを備えるように分割するように構成された、請求項２２に記載のワイヤレス端末。
【請求項２７】
前記第１のハーフスロットは第１のタイムスロットに属し；
前記第２のハーフスロットは前記第１のタイムスロットに続く第２のタイムスロットに属し；および
前記コントローラは、前記第２のサブセグメントが前記第１のハーフスロットからの第１の部分と前記第２のハーフスロットからの第２の部分とを備えるように分割するように構成された、
請求項２２に記載のワイヤレス端末。
【請求項２８】
前記複数のサブセグメントは前記第１のサブセグメントに先行する第３のサブセグメントをさらに備え、前記コントローラは、
前記第２のサブセグメントのための補間されたタップ係数の第２のセットを得るために、前記第１の複数の訓練されたタップ係数と前記第２の複数の訓練されたタップ係数との間で補間し；
補間されたタップ係数の前記第２のセットを使用することによって前記第２のサブセグメントを等化し；
前記第３のサブセグメントのための補間されたタップ係数の第３のセットを得るために、前記第１の複数の訓練されたタップ係数と前記第２の複数の訓練されたタップ係数との間で補間し；かつ
補間されたタップ係数の前記第３のセットを使用することによって前記第３のサブセグメントを等化する
ようにさらに構成された、請求項２２に記載のワイヤレス端末。
【請求項２９】
前記複数のサブセグメントは前記第１のサブセグメントに先行する第３のサブセグメントをさらに備え、前記コントローラは、
前記第２の複数の訓練されたタップ係数を使用することによって前記第２のサブセグメントを等化し；かつ
前記第１の複数の訓練されたタップ係数を使用することによって前記第３のサブセグメントを等化する
ようにさらに構成された、請求項２２に記載のワイヤレス端末。
【請求項３０】
前記コントローラは、
前記等化器において前記第１のパイロットバーストと前記第２のパイロットバーストとの間でタップシフトが起こるときを判定し；
前記等化器を前記第２のパイロットバースト上で訓練するのに先立って、前記タップシフトによって示された方向に等化器係数をシフトし；かつ
等化器履歴を前記タップシフトによって示された前記方向にシフトする
ようにさらに構成された、請求項２２に記載のワイヤレス端末。
【請求項３１】
前記コントローラは、
第１の測定されたＳＩＮＲを得るために、前記第１のパイロットバーストの信号対干渉およびノイズ比を測定し；
第２の測定されたＳＩＮＲを得るために、前記第２のパイロットバーストの信号対干渉およびノイズ比を測定し；かつ
前記第１のサブセグメントのための第１の補間されたＳＩＮＲを得るために、前記第１の測定されたＳＩＮＲと前記第２の測定されたＳＩＮＲとの間で補間する
ようにさらに構成された、請求項２２に記載のワイヤレス端末。
【請求項３２】
前記コントローラは、
スケーリングされたデータの第１のセットを得るために、前記第１の補間されたＳＩＮＲによって前記第１のサブセグメントに対応する前記等化器の出力をスケーリングし；
スケーリングされたデータの前記第１のセットの第１の対数尤度比を計算し；かつ
前記第１の対数尤度比を使用して前記第１のサブセグメントを復号する
ようにさらに構成された、請求項３１に記載のワイヤレス端末。
【請求項３３】
前記第１の測定されたＳＩＮＲと前記第２の測定されたＳＩＮＲとの間で補間することは、線形領域において補間することを備える、請求項３２に記載のワイヤレス端末。
【請求項３４】
前記複数のサブセグメントは前記第１のサブセグメントに先行する第３のサブセグメントをさらに備え、前記コントローラは、
前記第２のサブセグメントのための第２の補間されたＳＩＮＲを得るために、前記第１の測定されたＳＩＮＲと前記第２の測定されたＳＩＮＲとの間で補間し；
前記第３のサブセグメントのための第３の補間されたＳＩＮＲを得るために、前記第１の測定されたＳＩＮＲと前記第２の測定されたＳＩＮＲとの間で補間し；
スケーリングされたデータの第２のセットを得るために、前記第２の補間されたＳＩＮＲによって前記第２のサブセグメントに対応する前記等化器の出力をスケーリングし；
スケーリングされたデータの第３のセットを得るために、前記第３の補間されたＳＩＮＲによって前記第３のサブセグメントに対応する前記等化器の出力をスケーリングし；
スケーリングされたデータの前記第２のセットの対数尤度比を計算し；
スケーリングされたデータの前記第３のセットの対数尤度比を計算する
ようにさらに構成された、請求項３２に記載のワイヤレス端末。
【請求項３５】
前記複数のサブセグメントは前記第１のサブセグメントに先行する第３のサブセグメントをさらに備え、前記コントローラは、
スケーリングされたデータの第２のセットを得るために、前記第２の測定されたＳＩＮＲによって前記第２のサブセグメントに対応する前記等化器の出力をスケーリングし；
スケーリングされたデータの第３のセットを得るために、前記第１の測定されたＳＩＮＲによって前記第３のサブセグメントに対応する前記等化器の出力をスケーリングし；
スケーリングされたデータの前記第２のセットの対数尤度比を計算し；かつ  スケーリングされたデータの前記第３のセットの対数尤度比を計算する
ようにさらに構成された、請求項３２に記載のワイヤレス端末。
【請求項３６】
受信機と；
メモリと；
前記受信機と前記メモリとに結合されたコントローラと
を備え、前記コントローラは、
複数のタイムスロットを受信し，前記複数のタイムスロットの各タイムスロットは２つのハーフスロットを備え、各ハーフスロットは、２つのトラフィックセグメントと、前記２つのトラフィックセグメント間の１つのパイロットバーストとを備え、ここにおいて、前記複数のタイムスロットは、第１のハーフスロットと前記第１のハーフスロットに続く第２のハーフスロットとを備え、前記第１のハーフスロットと前記第２のハーフスロットとを隔てるハーフスロットはなく、前記第１のハーフスロットは、第１のパイロットバーストと、前記第１のパイロットバーストに続く第１のトラフィックセグメントとを備え、前記第２のハーフスロットは、第２のトラフィックセグメントと、前記第２のトラフィックセグメントに続く第２のパイロットバーストとを備える；
前記第１のトラフィックセグメントと前記第２のトラフィックセグメントとを複数のサブセグメントに分割し，前記複数のサブセグメントは、第１のサブセグメントと、前記第１のサブセグメントに続く第２のサブセグメントとを備える；
第１の測定されたＳＩＮＲを得るために、前記第１のパイロットバーストの信号対干渉およびノイズ比を測定し；
第２の測定されたＳＩＮＲを得るために、前記第２のパイロットバーストの信号対干渉およびノイズ比を測定し；
前記第１のサブセグメントのための第１の補間されたＳＩＮＲを得るために、前記第１の測定されたＳＩＮＲと前記第２の測定されたＳＩＮＲとの間で補間し；かつ
前記複数のサブセグメント中の少なくともいくつかのデータをユーザに与える
ように構成された、ワイヤレス端末。
【請求項３７】
前記コントローラは、
スケーリングされたデータの第１のセットを得るために、前記第１の補間されたＳＩＮＲによって前記第１のサブセグメントに対応する等化器出力をスケーリングし；
スケーリングされたデータの前記第１のセットの第１の対数尤度比を計算し；かつ
前記第１の対数尤度比を使用して前記第１のサブセグメントを復号する
ようにさらに構成された、請求項３６に記載のワイヤレス端末。
【請求項３８】
前記コントローラは、線形領域において補間することによって前記第１の測定されたＳＩＮＲと前記第２の測定されたＳＩＮＲとの間で補間するように構成された、請求項３７に記載のワイヤレス端末。
【請求項３９】
前記複数のサブセグメントは前記第１のサブセグメントに先行する第３のサブセグメントをさらに備え、前記コントローラは、
前記第２のサブセグメントのための第２の補間されたＳＩＮＲを得るために、前記第１の測定されたＳＩＮＲと前記第２の測定されたＳＩＮＲとの間で補間し；
前記第３のサブセグメントのための第３の補間されたＳＩＮＲを得るために、前記第１の測定されたＳＩＮＲと前記第２の測定されたＳＩＮＲとの間で補間し；
スケーリングされたデータの第２のセットを得るために、前記第２の補間されたＳＩＮＲによって前記第２のサブセグメントに対応する等化器出力をスケーリングし；
スケーリングされたデータの第３のセットを得るために、前記第３の補間されたＳＩＮＲによって前記第３のサブセグメントに対応する等化器出力をスケーリングし；
スケーリングされたデータの前記第２のセットの対数尤度比を計算し；かつ
スケーリングされたデータの前記第３のセットの対数尤度比を計算する
ようにさらに構成された、請求項３７に記載のワイヤレス端末。
【請求項４０】
前記複数のサブセグメントは、前記第１のサブセグメントに先行する第３のサブセグメントをさらに備え、前記コントローラは、
スケーリングされたデータの第２のセットを得るために、前記第２の測定されたＳＩＮＲによって前記第２のサブセグメントに対応する等化器出力をスケーリングし；
スケーリングされたデータの第３のセットを得るために、前記第１の測定されたＳＩＮＲによって前記第３のサブセグメントに対応する等化器出力をスケーリングし；
スケーリングされたデータの前記第２のセットの対数尤度比を計算し；かつ
スケーリングされたデータの前記第３のセットの対数尤度比を計算する
ようにさらに構成された、請求項３７に記載のワイヤレス端末。
【請求項４１】
ワイヤレス信号を受信するための手段と；
等化するための手段と；
データを記憶するための手段と；
受信するための前記手段と、等化するための前記手段と、記憶するための前記手段とに結合された、処理するための手段と
を備え、処理するための前記手段は、
複数のタイムスロットを受信し，前記複数のタイムスロットの各タイムスロットは２つのハーフスロットを備え、各ハーフスロットは、２つのトラフィックセグメントと、前記２つのトラフィックセグメント間の１つのパイロットバーストとを備え、ここにおいて、前記複数のタイムスロットは、第１のハーフスロットと前記第１のハーフスロットに続く第２のハーフスロットとを備え、前記第１のハーフスロットと前記第２のハーフスロットとを隔てるハーフスロットはなく、前記第１のハーフスロットは、第１のパイロットバーストと、前記第１のパイロットバーストに続く第１のトラフィックセグメントとを備え、前記第２のハーフスロットは、第２のトラフィックセグメントと、前記第２のトラフィックセグメントに続く第２のパイロットバーストとを備える；
前記第１のトラフィックセグメントと前記第２のトラフィックセグメントとを複数のサブセグメントに分割し，前記複数のサブセグメントは、第１のサブセグメントと、前記第１のサブセグメントに続く第２のサブセグメントとを備える；
第１の複数の訓練されたタップ係数を得るために、等化するための前記手段を前記第１のパイロットバースト上で訓練し；
第２の複数の訓練されたタップ係数を得るために、等化するための前記手段を前記第２のパイロットバースト上で訓練し；
前記第１のサブセグメントのための補間されたタップ係数の第１のセットを得るために、前記第１の複数の訓練されたタップ係数と前記第２の複数の訓練されたタップ係数との間で補間し；
補間されたタップ係数の前記第１のセットを使用することによって前記第１のサブセグメントを等化し；かつ
前記複数のサブセグメント中の少なくともいくつかのデータをユーザに与える
ように構成された、ワイヤレス端末。
【請求項４２】
ワイヤレス信号を受信するための手段と；
等化するための手段と；
データを記憶するための手段と；
受信するための前記手段と、等化するための前記手段と、記憶するための前記手段とに結合された、処理するための手段と
を備え、前記処理するための手段は、
複数のタイムスロットを受信し，前記複数のタイムスロットの各タイムスロットは２つのハーフスロットを備え、各ハーフスロットは、２つのトラフィックセグメントと、前記２つのトラフィックセグメント間の１つのパイロットバーストとを備え、ここにおいて、前記複数のタイムスロットは、第１のハーフスロットと前記第１のハーフスロットに続く第２のハーフスロットとを備え、前記第１のハーフスロットと前記第２のハーフスロットとを隔てるハーフスロットはなく、前記第１のハーフスロットは、第１のパイロットバーストと、前記第１のパイロットバーストに続く第１のトラフィックセグメントとを備え、前記第２のハーフスロットは、第２のトラフィックセグメントと、前記第２のトラフィックセグメントに続く第２のパイロットバーストとを備える；
前記第１のトラフィックセグメントと前記第２のトラフィックセグメントとを複数のサブセグメントに分割し，前記複数のサブセグメントは、第１のサブセグメントと、前記第１のサブセグメントに続く第２のサブセグメントとを備える；
第１の測定されたＳＩＮＲを得るために、前記第１のパイロットバーストの信号対干渉およびノイズ比を測定し；
第２の測定されたＳＩＮＲを得るために、前記第２のパイロットバーストの信号対干渉およびノイズ比を測定し；
前記第１のサブセグメントのための第１の補間されたＳＩＮＲを得るために、前記第１の測定されたＳＩＮＲと前記第２の測定されたＳＩＮＲとの間で補間し；かつ
前記複数のサブセグメント中の少なくともいくつかのデータをユーザに与える
ように構成された、ワイヤレス端末。
【請求項４３】
命令を備えた機械可読媒体であって、
前記命令は、ワイヤレスアクセス端末の少なくとも１つのプロセッサによって実行されたとき、前記アクセス端末に、
複数のタイムスロットを受信すること，前記複数のタイムスロットの各タイムスロットは２つのハーフスロットを備え、各ハーフスロットは、２つのトラフィックセグメントと、前記２つのトラフィックセグメント間の１つのパイロットバーストとを備え、ここにおいて、前記複数のタイムスロットは、第１のハーフスロットと前記第１のハーフスロットに続く第２のハーフスロットとを備え、前記第１のハーフスロットは、第１のパイロットバーストと、前記第１のパイロットバーストに続く第１のトラフィックセグメントとを備え、前記第２のハーフスロットは、第２のトラフィックセグメントと、前記第２のトラフィックセグメントに続く第２のパイロットバーストとを備える，と；
前記第１のトラフィックセグメントと前記第２のトラフィックセグメントとを複数のサブセグメントに分割すること，前記複数のサブセグメントは、第１のサブセグメントと、前記第１のサブセグメントに続く第２のサブセグメントとを備える，と；
第１の複数の訓練されたタップ係数を得るために、等化器を前記第１のパイロットバースト上で訓練することと；
第２の複数の訓練されたタップ係数を得るために、前記等化器を前記第２のパイロットバースト上で訓練することと；
前記第１のサブセグメントのための補間されたタップ係数の第１のセットを得るために、前記第１の複数の訓練されたタップ係数と前記第２の複数の訓練されたタップ係数との間で補間することと；
補間されたタップ係数の前記第１のセットを使用することによって前記第１のサブセグメントを等化することと
を備えるステップを実行させる、機械可読媒体。
【請求項４４】
前記第１のハーフスロットと前記第２のハーフスロットとは他のいずれのハーフスロットによって隔てられておらず；および
前記ステップは、前記複数のサブセグメント中の少なくともいくつかのデータをユーザに与えることをさらに備える、
請求項４３に記載の機械可読媒体。
【請求項４５】
補間する前記ステップは線形補間を使用することを備える、請求項４４に記載の機械可読媒体。
【請求項４６】
補間する前記ステップは３次元補間を使用することを備える、請求項４４に記載の機械可読媒体。
【請求項４７】
補間する前記ステップは補間を平均化と併用することを備える、請求項４４に記載の機械可読媒体。
【請求項４８】
分割する前記ステップは、前記第２のサブセグメントが前記第１のハーフスロットからの第１の部分と前記第２のハーフスロットからの第２の部分とを備えるように実行される、請求項４４に記載の機械可読媒体。
【請求項４９】
前記第１のハーフスロットは第１のタイムスロットに属し；
前記第２のハーフスロットは前記第１のタイムスロットに続く第２のタイムスロットに属し；および
分割する前記ステップは、前記第２のサブセグメントが前記第１のハーフスロットからの第１の部分と前記第２のハーフスロットからの第２の部分とを備えるように実行される、
請求項４４に記載の機械可読媒体。
【請求項５０】
前記複数のサブセグメントは前記第１のサブセグメントに先行する第３のサブセグメントをさらに備え、前記ステップは、
前記第２のサブセグメントのための補間されたタップ係数の第２のセットを得るために、前記第１の複数の訓練されたタップ係数と前記第２の複数の訓練されたタップ係数との間で補間することと；
補間されたタップ係数の前記第２のセットを使用することによって前記第２のサブセグメントを等化することと；
前記第３のサブセグメントのための補間されたタップ係数の第３のセットを得るために、前記第１の複数の訓練されたタップ係数と前記第２の複数の訓練されたタップ係数との間で補間することと；
補間されたタップ係数の前記第３のセットを使用することによって前記第３のサブセグメントを等化することと
をさらに備える、請求項４４に記載の機械可読媒体。
【請求項５１】
前記複数のサブセグメントは前記第１のサブセグメントに先行する第３のサブセグメントをさらに備え、前記ステップは、
前記第２の複数の訓練されたタップ係数を使用することによって前記第２のサブセグメントを等化することと；
前記第１の複数の訓練されたタップ係数を使用することによって前記第３のサブセグメントを等化することと
をさらに備える、請求項４４に記載の機械可読媒体。
【請求項５２】
前記ステップは、
前記等化器において前記第１のパイロットバーストと前記第２のパイロットバーストとの間でタップシフトが起こるときを判定することと；
前記受信機の前記等化器を前記第２のパイロットバースト上で訓練する前記ステップに先立ち、前記タップシフトによって示された方向に等化器係数をシフトすることと；
等化器履歴を前記タップシフトによって示された前記方向にシフトすることと
をさらに備える、請求項４４に記載の機械可読媒体。
【請求項５３】
前記ステップは、
第１の測定されたＳＩＮＲを得るために、前記第１のパイロットバーストの信号対干渉およびノイズ比を測定することと；
第２の測定されたＳＩＮＲを得るために、前記第２のパイロットバーストの信号対干渉およびノイズ比を測定することと；
前記第１のサブセグメントのための第１の補間されたＳＩＮＲを得るために、前記第１の測定されたＳＩＮＲと前記第２の測定されたＳＩＮＲとの間で補間することと
をさらに備える、請求項４４に記載の機械可読媒体。
【請求項５４】
前記ステップは、
スケーリングされたデータの第１のセットを得るために、前記第１の補間されたＳＩＮＲによって前記第１のサブセグメントに対応する前記等化器の出力をスケーリングすることと；
スケーリングされたデータの前記第１のセットの第１の対数尤度比を計算することと；
前記第１の対数尤度比を使用して前記第１のサブセグメントを復号することと
をさらに備える、請求項５３に記載の機械可読媒体。
【請求項５５】
前記第１の測定されたＳＩＮＲと前記第２の測定されたＳＩＮＲとの間で補間する前記ステップは、線形領域において補間することを備える、請求項５４に記載の機械可読媒体。
【請求項５６】
前記複数のサブセグメントは前記第１のサブセグメントに先行する第３のサブセグメントをさらに備え、前記ステップは、
前記第２のサブセグメントのための第２の補間されたＳＩＮＲを得るために、前記第１の測定されたＳＩＮＲと前記第２の測定されたＳＩＮＲとの間で補間することと；
前記第３のサブセグメントのための第３の補間されたＳＩＮＲを得るために、前記第１の測定されたＳＩＮＲと前記第２の測定されたＳＩＮＲとの間で補間することと；
スケーリングされたデータの第２のセットを得るために、前記第２の補間されたＳＩＮＲによって前記第２のサブセグメントに対応する前記等化器の出力をスケーリングすることと；
スケーリングされたデータの第３のセットを得るために、前記第３の補間されたＳＩＮＲによって前記第３のサブセグメントに対応する前記等化器の出力をスケーリングすることと；
スケーリングされたデータの前記第２のセットの対数尤度比を計算することと；
スケーリングされたデータの前記第３のセットの対数尤度比を計算することと
をさらに備える、請求項５４に記載の機械可読媒体。
【請求項５７】
前記複数のサブセグメントは前記第１のサブセグメントに先行する第３のサブセグメントをさらに備え、前記ステップは、
スケーリングされたデータの第２のセットを得るために、前記第２の測定されたＳＩＮＲによって前記第２のサブセグメントに対応する前記等化器の出力をスケーリングすることと；
スケーリングされたデータの第３のセットを得るために、前記第１の測定されたＳＩＮＲによって前記第３のサブセグメントに対応する前記等化器の出力をスケーリングすることと；
スケーリングされたデータの前記第２のセットの対数尤度比を計算することと；
スケーリングされたデータの前記第３のセットの対数尤度比を計算することと
をさらに備える、請求項５４に記載の機械可読媒体。
【請求項５８】
命令を備えた機械可読媒体であって、
前記命令は、ワイヤレスアクセス端末の少なくとも１つのプロセッサによって実行されたとき、前記ワイヤレスアクセス端末に、
複数のタイムスロットを受信すること，前記複数のタイムスロットの各タイムスロットは２つのハーフスロットを備え、各ハーフスロットは、２つのトラフィックセグメントと、前記２つのトラフィックセグメント間の１つのパイロットバーストとを備え、ここにおいて、前記複数のタイムスロットは、第１のハーフスロットと前記第１のハーフスロットに続く第２のハーフスロットとを備え、前記第１のハーフスロットと前記第２のハーフスロットとを隔てるハーフスロットはなく、前記第１のハーフスロットは、第１のパイロットバーストと、前記第１のパイロットバーストに続く第１のトラフィックセグメントとを備え、前記第２のハーフスロットは、第２のトラフィックセグメントと、前記第２のトラフィックセグメントに続く第２のパイロットバーストとを備える，と；
前記第１のトラフィックセグメントと前記第２のトラフィックセグメントとを複数のサブセグメントに分割すること，前記複数のサブセグメントは、第１のサブセグメントと、前記第１のサブセグメントに続く第２のサブセグメントとを備える，と；
第１の測定されたＳＩＮＲを得るために、前記第１のパイロットバーストの信号対干渉およびノイズ比を測定することと；
第２の測定されたＳＩＮＲを得るために、前記第２のパイロットバーストの信号対干渉およびノイズ比を測定することと；
前記第１のサブセグメントのための第１の補間されたＳＩＮＲを得るために、前記第１の測定されたＳＩＮＲと前記第２の測定されたＳＩＮＲとの間で補間することと；
前記複数のサブセグメント中の少なくともいくつかのデータをユーザに与えることと
を備えるステップを実行させる、機械可読媒体。
【請求項５９】
前記ステップは、
スケーリングされたデータの第１のセットを得るために、前記第１の補間されたＳＩＮＲによって前記第１のサブセグメントに対応する前記等化器の出力をスケーリングすることと；
スケーリングされたデータの前記第１のセットの第１の対数尤度比を計算することと；
前記第２の対数尤度比を使用して前記第１のサブセグメントを復号することと
をさらに備える、請求項５８に記載の機械可読媒体。
【請求項６０】
前記第１の測定されたＳＩＮＲと前記第２の測定されたＳＩＮＲとの間を補間する前記ステップは、線形領域において補間することを備える、請求項５９に記載の機械可読媒体。
【請求項６１】
前記複数のサブセグメントは前記第１のサブセグメントに先行する第３のサブセグメントをさらに備え、前記ステップは、
前記第２のサブセグメントのための第２の補間されたＳＩＮＲを得るために、前記第１の測定されたＳＩＮＲと前記第２の測定されたＳＩＮＲとの間で補間することと；
前記第３のサブセグメントのための第３の補間されたＳＩＮＲを得るために、前記第１の測定されたＳＩＮＲと前記第２の測定されたＳＩＮＲとの間で補間することと；
スケーリングされたデータの第２のセットを得るために、前記第２の補間されたＳＩＮＲによって前記第２のサブセグメントに対応する前記等化器の出力をスケーリングすることと；
スケーリングされたデータの第３のセットを得るために、前記第３の補間されたＳＩＮＲによって前記第３のサブセグメントに対応する前記等化器の出力をスケーリングすることと；
スケーリングされたデータの前記第２のセットの対数尤度比を計算することと；
スケーリングされたデータの前記第３のセットの対数尤度比を計算することと
をさらに備える、請求項５９に記載の機械可読媒体。
【請求項６２】
前記複数のサブセグメントは前記第１のサブセグメントに先行する第３のサブセグメントをさらに備え、前記ステップは、
スケーリングされたデータの第２のセットを得るために、前記第２の測定されたＳＩＮＲによって前記第２のサブセグメントに対応する前記等化器の出力をスケーリングすることと；
スケーリングされたデータの第３のセットを得るために、前記第１の測定されたＳＩＮＲによって前記第３のサブセグメントに対応する前記等化器の出力をスケーリングすることと；
スケーリングされたデータの前記第２のセットの対数尤度比を計算することと；
スケーリングされたデータの前記第３のセットの対数尤度比を計算することと
をさらに備える、請求項５９に記載の機械可読媒体。
【発明の詳細な説明】
【技術分野】
【０００１】
本発明は、一般にワイヤレス通信に関する。より詳細には、本発明は、受信機における等化器タップ係数（coefficients）と信号対干渉およびノイズ比推定値との調整に関する。
【背景技術】
【０００２】
現代の通信システムは、音声アプリケーションおよびデータアプリケーションなどの様々なアプリケーションのための信頼のおけるデータ送信を提供することが期待されている。ポイント・ツー・マルチポイント（a point-to-multipoint）通信の環境では、知られている通信システムは、周波数分割多元接続（ＦＤＭＡ）、時分割多元接続（ＴＤＭＡ）、符号分割多元接続（ＣＤＭＡ）、および、場合よっては、他の多元接続通信方式に基づく。
【０００３】
ＣＤＭＡシステムは、（１）「二重モード広帯域スペクトル拡散セルラシステムに関するＴＩＡ／ＥＴＡ−９５  移動局−基地局互換規格（TIA/EIA-95 Mobile Station-Base Station Compatibility Standard for Dual-Mode Wideband Spread Spectrum Cellular System）」（その強化された改訂版ＡおよびＢをもつこの規格は「ＩＳ−９５規格」と呼ばれる）、（２）「二重モード広帯域スペクトル拡散移動局に関するＴＩＡ／ＥＩＡ−９８−Ｃ  推奨最小規格（TIA/EIA-98-C Recommended Minimum Standard for Dual-Mode Wideband Spread Spectrum Cellular Mobile Station）」（「ＩＳ−９８規格」）、（３）「第３世代パートナーシッププロジェクト（3rd Generation Partnership Project）」（３ＧＰＰ）という名の組合によって後援され、「Ｗ−ＣＤＭＡ規格」として知られる文書のセットで体現された規格、（４）「第３世代パートナーシッププロジェクト２」（３ＧＰＰ２）という名の組合によって後援され、「ｃｄｍａ２０００周波数拡散システムに関するＴＲ−４５．５  物理レイヤー（TR-45.5 Physical Layer Standard for cdma2000 Spread Spectrum Systems）」、「ｃｄｍａ２０００スペクトル拡散システムに関するＣ．Ｓ０００５−Ａ  上位レイヤー（レイヤー３）信号化規格（C.S0005-A Upper Layer (Layer 3) Signaling Standard for cdma2000 Spread Spectrum Systems）」、および「ＴＩＡ／ＥＩＡ／ＩＳ−８５６  ｃｄｍａ２０００  高速パケットデータ無線インターフェース規格（TIA/EIA/IS-856 cdma2000 High Rate Packet Data Air Interface Specification）」（総称して「ｃｄｍａ２０００規格」）を含む文書のセットに組み入れられた規格、（５）１ｘＥＶ−ＤＯ規格、および（６）いくつかの他の規格などの、１つまたは複数のＣＤＭＡ規格をサポートするように設計され得る。
【０００４】
ワイヤレスアクセス端末、たとえば、ワイヤレスＣＤＭＡシステムにおける端末は、１つまたは複数の順方向リンク上で１つまたは複数の基地局からのデータ送信を受信し得る。特定の基地局によって送信された信号は、複数の伝搬経路を通って端末に到達し得る。端末で受信された信号は、基地局によって送信された信号の１つまたは複数の信号インスタンス（マルチパス成分としても知られる）を含み得る。「マルチパス」という単語は、信号が送信機（たとえば、基地局）から受信機（たとえば、アクセス端末）に伝わるための複数の伝搬経路の存在を指す。また、マルチパス成分の各々は、変動する物理チャネル応答、ノイズ、および干渉を受ける。端末は、チャネル応答およびマルチパスひずみを補償するために等化器を採用することができる。等化器は、いくつかの遅延要素と、これらの遅延要素に対応するタップでの乗算係数とを有した等化フィルタでもよい。いくつかの等化技法および等化器は、Equalization of Multiple Signals Received for Soft Handoff in Wireless Communication Systemsと題する、同一出願人による米国特許第７，３０１，９９０号、およびMethod and Apparatus for Adaptive Linear Equalization for Walsh Covered Modulationと題する、同一出願人による米国特許第６，５２２，６８３号に記載されている。
【０００５】
パイロット信号は、送信機と受信機との間の、たとえば、ＣＤＭＡシステムにおける基地局からアクセス端末への物理チャネルを推定するために使用することができる。パイロット信号は、予め定義されたデータシーケンスを搬送する信号であり、それ故に、パイロットのひずみは送信チャネルに起因し得るものであり、そのため、送信チャネルは、受信されたパイロットから推定されることができる。
【０００６】
パイロットは、順方向リンクの明確に定義された周期的間隔で送信されてもよい。いくつかのＣＤＭＡシステムでは、たとえば、順方向リンクはフレームという表現で定義される。１つのフレームは、１６個のタイムスロットを含むことができる。各タイムスロットは、１．６７ミリ秒のスロット継続時間に対応する２０４８チップ長であり得、その結果、１フレームは、２６．６７ミリ秒の継続時間をもつ。各スロットは２つのハーフスロットに分割でき、各ハーフスロットの中央で９６チップのパイロットバーストが送信される。各ハーフスロットの残りは、それぞれ約４００チップの２つのトラフィック搬送部分と、メディアアクセス制御（ＭＡＣ）部分とによって占められる。
【０００７】
各パイロットバーストによって、等化器は訓練され（trained）、そのタップ係数は、パイロットバーストによって得られた推定値に基づいて適合される。次いで、このようにして得られた係数は、パイロットバーストの両側のトラフィック部分を復調するために使用される。特定のパイロットバースト上での訓練から得られた係数は、時間的にパイロットバーストに続くトラフィックを復調するために使用されるので、この方法は反因果的である。
【０００８】
急速に変化するチャネル状態では、チャネルは、特にパイロットバーストから時間的に最も離れたデータの場合、パイロットバーストの時間とデータの実際の送信および受信との間の実質的な相違を生じることがある。適切な等化器訓練は、等化器のパフォーマンスにとって、および、結果として、受信機のパフォーマンスにとって重要である。それ故に、データ送信および受信のときの実際の送信チャネル状態に対する等化器係数の整合を改善する装置、方法、および製品が、当技術分野において必要である。また、そのような改善された等化器をもつ受信機が、当技術分野において必要である。さらに、そのような受信機を採用するワイヤレス通信システムが、当技術分野において必要である。
【０００９】
信号についての信号対ノイズおよび干渉比（ＳＩＮＲ）は、同様にパイロットバースト中に測定され、次いで、対数尤度比を計算するブロックに供給する前に等化器出力をスケーリングするために、および／または送信された情報の他の処理のために使用される。したがって、良好なＳＩＮＲ推定値を得ることも、受信機のパフォーマンスにとって重要である。それ故に、データ送信および受信のときの実際の送信チャネル状態のＳＩＮＲ推定値を改善する装置、方法、および製品が、当技術分野において必要である。また、そのような改善されたＳＩＮＲ推定値を使用する受信機が当技術分野において必要である。さらに、そのような受信機を採用するワイヤレス通信システムが当技術分野において必要である。
【発明の概要】
【００１０】
ここで開示する実施形態は、パイロットバースト間で等化器係数および／またはＳＩＮＲ推定値を補間するための装置、方法、および製品を提供することによって、上述の必要の１つまたは複数に対処することができる。以下で説明するシステム、方法、および製品は、セルラーアクセス端末における使用などの、電気通信において採用され得る。
【００１１】
ワイヤレス通信システムにおいて受信機を動作させるための方法について説明する。本方法は、複数のタイムスロットを含むフレームを受信することを含む。前記複数のタイムスロットの各タイムスロットは２つのハーフスロットを有し、各ハーフスロットは、２つのトラフィックセグメントと、２つのトラフィックセグメント間の１つのパイロットバーストとを含む。前記複数のタイムスロットは、第１のハーフスロットと、第１のハーフスロットに続く第２のハーフスロットとを含む。第１のハーフスロットは、第１のパイロットバーストと、第１のパイロットバーストに続く第１のトラフィックセグメントとを有する。第２のハーフスロットは、第２のトラフィックセグメントと、第２のトラフィックセグメントに続く第２のパイロットバーストとを有する。また、本方法は、第１のトラフィックセグメントおよび第２のトラフィックセグメントを複数のサブセグメントに分割することも含む。複数のサブセグメントは、第１のサブセグメントと、第１のサブセグメントに続く第２のサブセグメントとを含む。本方法は、第１の複数の訓練されたタップ係数を得るために、受信機の等化器を第１のパイロットバースト上で訓練することと、第２の複数の訓練されたタップ係数を得るために、受信機の等化器を第２のパイロットバースト上で訓練することとをさらに含む。本方法は、第１のサブセグメントのための補間されたタップ係数の第１のセットを得るために、第１の複数の訓練されたタップ係数と第２の複数の訓練されたタップ係数との間で補間することと、補間されたタップ係数の第１のセットを使用することによって第１のサブセグメントを等化することとをさらに含む。
【００１２】
ワイヤレス通信システムにおいて受信機を動作させるための別の方法は、複数のタイムスロットをもつフレームを受信することを含み、複数のタイムスロットの各タイムスロットは２つのハーフスロットを有する。ハーフスロットの各々は、２つのトラフィックセグメントと、２つのトラフィックセグメント間の１つのパイロットバーストとを有する。前記複数のタイムスロットは、第１のハーフスロットと、第１のハーフスロットに続く第２のハーフスロットとを含む。第１のハーフスロットは、第１のパイロットバーストと、第１のパイロットバーストに続く第１のトラフィックセグメントとを含み、第２のハーフスロットは、第２のトラフィックセグメントと、第２のトラフィックセグメントに続く第２のパイロットバーストとを含む。また、本方法は、第１のトラフィックセグメントおよび第２のトラフィックセグメントを複数のサブセグメントに分割することも含む。複数のサブセグメントは、第１のサブセグメントと、第１のサブセグメントに続く第２のサブセグメントとを有する。本方法は、第１の測定されたＳＩＮＲを得るために、第１のパイロットバーストの信号対干渉およびノイズ比を測定することと、第２の測定されたＳＩＮＲを得るために、第２のパイロットバーストの信号対干渉およびノイズ比を測定することとをさらに含む。本方法は、第１のサブセグメントのための第１の補間されたＳＩＮＲを得るために、第１の測定されたＳＩＮＲと第２の測定されたＳＩＮＲとの間で補間することをさらに含む。本方法は、複数のサブセグメント中の少なくともいくつかのデータをユーザに与えることをさらに含む。
【００１３】
ワイヤレス端末について説明する。ワイヤレス端末は、受信機と、メモリと、受信機およびメモリに結合されたコントローラとを含む。コントローラは、複数のタイムスロットを受信するように構成され、これら複数のタイムスロットの各タイムスロットは２つのハーフスロットを含む。各ハーフスロットは、２つのトラフィックセグメントと、２つのトラフィックセグメント間の１つのパイロットバーストとを有する。前記複数のタイムスロットは、第１のハーフスロットと、第１のハーフスロットに続く第２のハーフスロットとを含む。第１のハーフスロットは、第１のパイロットバーストと、第１のパイロットバーストに続く第１のトラフィックセグメントとを有する。第２のハーフスロットは、第２のトラフィックセグメントと、第２のトラフィックセグメントに続く第２のパイロットバーストとを有する。また、コントローラは、第１のトラフィックセグメントおよび第２のトラフィックセグメントを複数のサブセグメントに分割するように構成される。複数のサブセグメントは、第１のサブセグメントと、第１のサブセグメントに続く第２のサブセグメントとを含む。また、コントローラは、第１の複数の訓練されたタップ係数を得るために、等化器を第１のパイロットバースト上で訓練するように、および第２の複数の訓練されたタップ係数を得るために、等化器を第２のパイロットバースト上で訓練するように構成される。コントローラは、第１のサブセグメントのための補間されたタップ係数の第１のセットを得るために、第１の複数の訓練されたタップ係数と第２の複数の訓練されたタップ係数との間で補間するようにさらに構成される。コントローラは、補間されたタップ係数の第１のセットを用いて等化器を使用することによって第１のサブセグメントを等化するようにさらに構成される。
【００１４】
ワイヤレス端末について説明する。ワイヤレス端末は、受信機と、メモリと、受信機およびメモリに結合されたコントローラとを含む。コントローラは、複数のタイムスロットを受信するように構成され、複数のタイムスロットの各タイムスロットは２つのハーフスロットを有する。各ハーフスロットは、２つのトラフィックセグメントと、２つのトラフィックセグメント間の１つのパイロットバーストとを含む。前記複数のタイムスロットは、第１のハーフスロットと、第１のハーフスロットに続く第２のハーフスロットとを含み、第１のハーフスロットと第２のハーフスロットとを隔てる（separating）ハーフスロットはない。第１のハーフスロットは、第１のパイロットバーストと、第１のパイロットバーストに続く第１のトラフィックセグメントとを含み、第２のハーフスロットは、第２のトラフィックセグメントと、第２のトラフィックセグメントに続く第２のパイロットバーストとを含む。また、コントローラは、第１のトラフィックセグメントおよび第２のトラフィックセグメントを複数のサブセグメントに分割するように構成される。複数のサブセグメントは、第１のサブセグメントと、第１のサブセグメントに続く第２のサブセグメントとを含む。コントローラは、第１の測定されたＳＩＮＲを得るために、第１のパイロットバーストの信号対干渉およびノイズ比を測定するように、および第２の測定されたＳＩＮＲを得るために、第２のパイロットバーストの信号対干渉およびノイズ比を測定するようにさらに構成される。コントローラは、第１のサブセグメントのための第１の補間されたＳＩＮＲを得るために、第１の測定されたＳＩＮＲと第２の測定されたＳＩＮＲとの間で補間するようにさらに構成される。コントローラは、複数のサブセグメント中の少なくともいくつかのデータをユーザに与えるようにさらに構成される。
【００１５】
ワイヤレス端末について説明する。ワイヤレス端末は、ワイヤレス信号を受信するための手段と、等化するための手段と、データを記憶するための手段と、処理するための手段とを含む。処理するための手段は、受信するための手段と、等化するための手段と、記憶するための手段とに結合される。処理するための手段は、複数のタイムスロットを受信するように構成され、複数のタイムスロットの各タイムスロットは２つのハーフスロットを有する。ハーフスロットの各々は、２つのトラフィックセグメントと、２つのトラフィックセグメント間の１つのパイロットバーストとを有する。前記複数のタイムスロットは、第１のハーフスロットと、第１のハーフスロットに続く第２のハーフスロットとを含み、第１のハーフスロットと第２のハーフスロットとを隔てるハーフスロットはない。第１のハーフスロットは、第１のパイロットバーストと、第１のパイロットバーストに続く第１のトラフィックセグメントとを含み、第２のハーフスロットは、第２のトラフィックセグメントと、第２のトラフィックセグメントに続く第２のパイロットバーストとを含む。また、コントローラは、第１のトラフィックセグメントおよび第２のトラフィックセグメントを複数のサブセグメントに分割するように構成される。複数のサブセグメントは、第１のサブセグメントと、第１のサブセグメントに続く第２のサブセグメントとを含む。コントローラは、第１の複数の訓練されたタップ係数を得るために、等化するための手段を第１のパイロットバースト上で訓練するように、および、第２の複数の訓練されたタップ係数を得るために、等化するための手段を第２のパイロットバースト上で訓練するようにさらに構成される。コントローラは、第１のサブセグメントのための補間されたタップ係数の第１のセットを得るために、第１の複数の訓練されたタップ係数と第２の複数の訓練されたタップ係数との間で補間するようにさらに構成される。コントローラは、補間されたタップ係数の第１のセットを使用することによって第１のサブセグメントを等化するようにさらに構成される。コントローラは、複数のサブセグメント中の少なくともいくつかのデータをユーザに与えるようにさらに構成される。
【００１６】
ワイヤレス端末について説明する。ワイヤレス端末は、ワイヤレス信号を受信するための手段と、等化するための手段と、データを記憶するための手段と、処理するための手段とを含む。処理するための手段は、受信するための手段と、等化するための手段と、記憶するための手段とに結合される。処理するための手段は、複数のタイムスロットを受信するように構成され、複数のタイムスロットの各タイムスロットは２つのハーフスロットを有する。ハーフスロットの各々は、２つのトラフィックセグメントと、２つのトラフィックセグメント間の１つのパイロットバーストとを有する。前記複数のタイムスロットは、第１のハーフスロットと、第１のハーフスロットに続く第２のハーフスロットとを含み、第１のハーフスロットと第２のハーフスロットとを隔てるハーフスロットはない。第１のハーフスロットは、第１のパイロットバーストと、第１のパイロットバーストに続く第１のトラフィックセグメントとを含む。第２のハーフスロットは、第２のトラフィックセグメントと、第２のトラフィックセグメントに続く第２のパイロットバーストとを含む。また、コントローラは、第１のトラフィックセグメントおよび第２のトラフィックセグメントを複数のサブセグメントに分割するように構成される。複数のサブセグメントは、第１のサブセグメントと、第１のサブセグメントに続く第２のサブセグメントとを含む。コントローラは、第１の測定されたＳＩＮＲを得るために、第１のパイロットバーストの信号対干渉およびノイズ比を測定するように、および、第２の測定されたＳＩＮＲを得るために、第２のパイロットバーストの信号対干渉およびノイズ比を測定するようにさらに構成される。コントローラは、第１のサブセグメントのための第１の補間されたＳＩＮＲを得るために、第１の測定されたＳＩＮＲと第２の測定されたＳＩＮＲとの間で補間するようにさらに構成される。コントローラは、複数のサブセグメント中の少なくともいくつかのデータをユーザに与えるようにさらに構成される。
【００１７】
コンピュータ可読媒体（machine-readable media）について説明する。媒体は命令を記憶する。命令がワイヤレスアクセス端末の少なくとも１つのプロセッサによって実行されたとき、それらはアクセス端末にいくつかのステップを実行させる。前記ステップは、複数のタイムスロットを受信することを含み、複数のタイムスロットの各タイムスロットは２つのハーフスロットを有する。ハーフスロットの各々は、２つのトラフィックセグメントと、２つのトラフィックセグメント間の１つのパイロットバーストとを含む。前記複数のタイムスロットは、第１のハーフスロットと、第１のハーフスロットに続く第２のハーフスロットとを含む。第１のハーフスロットは、第１のパイロットバーストと、第１のパイロットバーストに続く第１のトラフィックセグメントとを含む。第２のハーフスロットは、第２のトラフィックセグメントと、第２のトラフィックセグメントに続く第２のパイロットバーストとを含む。また、前記ステップは、第１のトラフィックセグメントおよび第２のトラフィックセグメントを複数のサブセグメントに分割することも含む。複数のサブセグメントは、第１のサブセグメントと、第１のサブセグメントに続く第２のサブセグメントとを有する。前記ステップは、第１の複数の訓練されたタップ係数を得るために、等化器を第１のパイロットバースト上で訓練することと、第２の複数の訓練されたタップ係数を得るために、等化器を第２のパイロットバースト上で訓練することとをさらに含む。前記ステップは、第１のサブセグメントのための補間されたタップ係数の第１のセットを得るために、第１の複数の訓練されたタップ係数と第２の複数の訓練されたタップ係数との間で補間することをさらに含む。前記ステップは、補間されたタップ係数の第１のセットを使用することによって第１のサブセグメントを等化することをさらに含む。
【００１８】
コンピュータ可読媒体について説明する。媒体は命令を記憶する。命令がワイヤレスアクセス端末の少なくとも１つのプロセッサによって実行されたとき、それらはワイヤレスアクセス端末にいくつかのステップを実行させる。前記ステップは、複数のタイムスロットを受信することを含み、複数のタイムスロットの各タイムスロットは２つのハーフスロットを有する。ハーフスロットの各々は、２つのトラフィックセグメントと、２つのトラフィックセグメント間の１つのパイロットバーストとを含む。前記複数のタイムスロットは、第１のハーフスロットと、第１のハーフスロットに続く第２のハーフスロットとを含み、第１のハーフスロットと第２のハーフスロットとを隔てるハーフスロットはない。第１のハーフスロットは、第１のパイロットバーストと、第１のパイロットバーストに続く第１のトラフィックセグメントとを含む。第２のハーフスロットは、第２のトラフィックセグメントと、第２のトラフィックセグメントに続く第２のパイロットバーストとを含む。また、前記ステップは、第１のトラフィックセグメントおよび第２のトラフィックセグメントを複数のサブセグメントに分割することも含む。複数のサブセグメントは、第１のサブセグメントと、第１のサブセグメントに続く第２のサブセグメントとを含む。前記ステップは、第１の測定されたＳＩＮＲを得るために、第１のパイロットバーストの信号対干渉およびノイズ比を測定することと、第２の測定されたＳＩＮＲを得るために、第２のパイロットバーストの信号対干渉およびノイズ比を測定することとをさらに含む。前記ステップは、第１のサブセグメントのための第１の補間されたＳＩＮＲを得るために、第１の測定されたＳＩＮＲと第２の測定されたＳＩＮＲとの間で補間することをさらに含む。前記ステップは、複数のサブセグメント中の少なくともいくつかのデータをユーザに与えることをさらに含む。
【００１９】
本発明のこれらおよび他の観点は、以下の説明、図面、および添付の特許請求の範囲を参照するとより良く理解されるであろう。
【図面の簡単な説明】
【００２０】
【図１】図１は、受信機が等化器係数および／またはＳＩＮＲ値を補間する、通信ネットワークの選択された構成要素を示している。
【図２】図２は、トラフィックハーフスロットが等化器係数および／またはＳＩＮＲ値の補間のためにサブセグメント化されるところの、順方向リンクのフレームの選択された要素を示している。
【図３】図３は、トラフィックハーフスロットが等化器係数および／またはＳＩＮＲ値の補間のためにサブセグメント化され、ここにおいて、サブセグメントがセグメント境界、ハーフスロット境界、およびタイムスロット境界を越える、順方向リンクのフレームの選択された要素を示している。
【図４】図４は、タップ係数およびＳＩＮＲ補間を用いて受信機を動作させるためのプロセスの選択されたステップを示している。
【発明を実施するための形態】
【００２１】
この文書では、「実施形態」、「変形」という用語、および同様の表現は、特定の装置、方法、または製品を指すために使用されるが、必ずしも同じ装置、方法、または製品を指すわけではない。したがって、ある場所または文脈で使用される「一実施形態」（または同様の表現）は、特定の装置、方法、または製品を指し、異なる場所での同じまたは同様の表現は、異なる装置、方法、または製品を指すことがある。「替わりの実施形態」、「代替的に」という表現および同様のフレーズは、いくつかの異なる可能な実施形態のうちの１つを示すために使用されることがある。可能な実施形態の数は、必ずしも２つまたは他のいずれかの数量に限定されるわけではない。
【００２２】
「補間」の概念は、既存のデータポイントに基づいて、２つの既存のデータポイント間の新たなポイントを計算する（近似値を求めるまたは推定する）任意のプロセスを意味する。
【００２３】
ＡＴとも呼ばれ得るアクセス端末、加入者局、ユーザ装置，ＵＥ、移動端末，ＭＴ、またはセルラー通信デバイスは、移動でも固定でもよく、１つまたは複数の送受信基地局と通信し得る。アクセス端末は、限定されないが、パーソナルコンピュータ（ＰＣ）カード、外部または内部モデム、無線電話、および無線通信能力をもつ携帯情報端末（ＰＤＡ）を含む、いくつかのタイプのデバイスのいずれかであり得る。アクセス端末は、１つまたは複数の送受信基地局を介して無線ネットワークコントローラとの間でデータパケットを送信および受信する。
【００２４】
送受信基地局および基地局コントローラは、無線ネットワーク，ＲＮ、アクセスネットワーク，またはＡＮと呼ばれるネットワークの一部である。無線ネットワークは、ＵＴＲＡＮまたはＵＭＴＳ地上無線アクセスネットワークでもよい。無線ネットワークは、複数のアクセス端末間でデータパケットを移送し得る。無線ネットワークは、さらに、企業イントラネット、インターネット、公衆交換電話網（ＰＳＴＮ）、または別の無線ネットワークなどの、先の無線ネットワーク外部の追加のネットワークに接続されてもよく、各アクセス端末とそのような外部ネットワークとの間でデータおよび音声パケットを移送してもよい。慣習および特定の実装形態に応じて、送受信基地局は、ノードＢ、基地局システム（ＢＳＳ）、および単に基地局などの他の名称で呼ばれることがある。同様に、基地局コントローラは、無線ネットワークコントローラ，ＲＮＣ、コントローラ、移動交換センター、またはサービス側ＧＰＲＳサポートノードなどの他の名称で呼ばれることがある。
【００２５】
本明細書の範囲は、これらおよび同様のワイヤレス通信システム構成要素、ならびに他の電子機器に及ぶ。
【００２６】
「例示的」という用語は、ここでは「例、事例、または例示として役立つこと」を意味するために使用される。本明細書に「例示的」と記載されたいずれの実施形態または変形も、必ずしも他の実施形態または変形よりも好ましいまたは有利であると解釈されるべきではない。本明細書に記載された実施形態および変形の全ては、当業者が本発明を製作および使用することができるように与えられた例示的な実施形態および変形であり、必ずしも本発明に与えられる法的保護の範囲を限定するわけではない。
【００２７】
図１に、ワイヤレス送受信基地局１２０Ａ、１２０Ｂおよび１２０Ｃに結合された無線ネットワークコントローラ１１０を含む通信システム１００の選択された構成要素を示す。送受信基地局１２０は、ワイヤレス接続１４０Ａ〜１４０Ｅを介してアクセス端末１３０Ａ、１３０Ｂ、１３０Ｃおよび１３０Ｄと通信する。無線ネットワークコントローラ１１０は、電話交換機１６０を介して公衆交換電話ネットワーク１５０に結合され、パケットデータサーバノード（「ＰＤＳＮ」）１８０を介してパケット交換ネットワーク１７０に結合される。無線ネットワークコントローラ１１０およびパケットデータサーバノード１８０などの、様々なネットワーク要素間のデータ交換は、任意の数のプロトコル、たとえば、インターネットプロトコル（「ＩＰ」）、非同期転送モード（「ＡＴＭ」）プロトコル、Ｔ１、Ｅ１、フレームリレー、および他のプロトコルを使用して実装できる。
【００２８】
通信ネットワーク１００は、アクセス端末１３０にデータ通信サービスとセルラー電話サービスの両方を与えることができる。あるいは、通信ネットワーク１００は、データサービスのみまたは電話サービスのみを与えることができる。
【００２９】
複数のまたはさらには全てのアクセス端末１３０は同じセルまたはサイトにあるってもよいし、各アクセス端末１３０は別々のセルまたはサイトにあってもよい。
【００３０】
典型的なアクセス端末、たとえば、アクセス端末１３０Ａは、受信回路１３１と、送信機回路１３２と、エンコーダ１３３と、デコーダ１３４と、等化器１３５と、プロセッサ１３６と、メモリデバイス１３７とを含む。また、アクセス端末は、マイクロホン、スピーカ、ディスプレイ、またはキーパッドなどの、１つまたは複数のユーザインターフェースデバイスを含んでもよいし、それらに接続されてもよい。受信機、送信機、エンコーダ、デコーダ、および等化器は、メモリデバイスに記憶されたコードを実行するプロセッサによって構成される。各アクセス端末１３０は、上記のワイヤレスパケット送信プロトコルなどの、少なくとも１つの送信プロトコルを使用してデータを伝達するように構成される。図１に示すように、アクセス端末１３０は、通信チャネル１４０Ａ〜１４０Ｅを介して送受信基地局１２０と通信する。各通信チャネル１４０は、対応するアクセス端末１３０への順方向リンクと逆方向リンクとの両方を含むことができる。
【００３１】
送受信基地局１２０の各々は、１つまたは複数のワイヤレス受信機（たとえば、ＢＴＳ１２０Ａの受信機１２１）と、１つまたは複数のワイヤレス送信機（たとえば、ＢＴＳ１２０Ａの送信機１２２）と、無線ネットワークコントローラインターフェース（たとえば、インターフェース１２３）と、メモリ（たとえば、メモリ１２４）と、プロセッサ（たとえば、プロセッサ１２５）と、エンコーダ／デコーダ回路（たとえば、エンコーダ／デコーダ回路１２６）とを含む。各送受信基地局の受信機／送信機対は、データパケットをアクセス端末１３０に送信しかつそこからデータパケットを受信するためにアクセス端末１３０との順方向および逆方向リンクを確立するように、ＢＴＳのメモリに記憶されたプログラムコードの制御下で動作するその局のプロセッサによって構成される。データサービスの場合には、たとえば、送受信基地局１２０は、パケットデータサーバノード１８０を介しておよび無線ネットワークコントローラ１１０を介してパケット交換ネットワーク１７０から順方向リンクデータパケットを受信し、これらのパケットをアクセス端末１３０に送信する。送受信基地局１２０は、アクセス端末１３０において発生する逆方向リンクデータパケットを受信し、これらのパケットを、無線ネットワークコントローラ１１０およびパケットデータサーバノード１８０を介してパケット交換ネットワーク１７０に転送する。電話サービスの場合には、送受信基地局１２０は、電話交換機１６０を介しておよび無線ネットワークコントローラ１１０を介して電話ネットワーク１５０から順方向リンクデータパケットを受信し、これらのパケットをアクセス端末１３０に送信する。アクセス端末１３０において発生する音声搬送パケットは、送受信基地局１２０において受信され、無線ネットワークコントローラ１１０および電話交換機１６０を介して電話ネットワーク１５０に転送される。
【００３２】
あるいは、ＢＴＳの送信機および受信機は、それぞれ１つまたは複数の別々のプロセッサを有してもよい。
【００３３】
無線ネットワークコントローラ１１０は、送受信基地局１２０に対する１つまたは複数のインターフェース１１１と、パケットデータサーバノード１８０に対するインターフェース１１２と、電話交換機１６０に対するインターフェース１１３とを含む。インターフェース１１１、１１２および１１３は、メモリデバイス１１５に記憶されたプログラムコードを実行する１つまたは複数のプロセッサ１１４の制御下で動作する。
【００３４】
図１に示すように、ネットワーク１００は、１つの公衆交換電話ネットワークと、１つのパケット交換ネットワークと、１つの基地局コントローラと、３つの送受信基地局と、４つのアクセス端末とを含む。当業者は、本明細書を精読することにより、代替的に、ネットワークは、これらの構成要素の特定の数に限定される必要はないことを認識するであろう。たとえば、より少ないまたはより多い数の送受信基地局およびアクセス端末が含まれてもよい。さらに、通信ネットワーク１００は、１つまたは複数の追加の通信ネットワーク、たとえば、いくつかのワイヤレスアクセス端末を有する第２のワイヤレス通信ネットワークにアクセス端末１３０を接続することができる。
【００３５】
図２に、選択されたＢＴＳ１２０と選択されたアクセス端末１３０との間の順方向リンク２００のチャネルのフレーム２１０Ａ、２１０Ｂ、および２１０Ｃを示す。選択されたＢＴＳはＢＴＳ１２０Ａでもよいし、選択されたアクセス端末はアクセス端末１３０Ａでもよい。簡単のために、これより、我々は、これらのネットワークデバイスを、単に、ＢＴＳ１２０およびアクセス端末１３０とそれぞれ呼ぶ。図２には３つのフレームのみが示されているが、多くの追加のフレームが存在してもよいし、典型的には存在することに留意されたい。例示的なシステムでは、各フレームは１６個のタイムスロットを有し、各タイムスロットは２０４８チップ長であり、１．６７ミリ秒のスロット継続時間に対応する；したがって、各フレームは継続時間が２６．６７ミリ秒である。フレーム２１０Ｂのタイムスロットは連続するタイムスロット２２０および２４０を含み、これらはさらに詳細に説明される。なお、このレベルの抽象化では、他のタイムスロットは同じまたは実質的に同じに見えるであろう。
【００３６】
各スロットは２つのハーフスロットに分割され、各ハーフスロットの中央でパイロットバーストが送信される。したがって、タイムスロット２２０はハーフスロット２２０Ａおよび２２０Ｂを有し、ハーフスロット２２０Ａの中央にはパイロットバースト２２３があり、ハーフスロット２２０Ｂの中央には別のパイロットバースト２２７がある；タイムスロット２４０は同様にハーフスロット２４０Ａおよび２４０Ｂを有し、それぞれパイロットバースト２４３および２４７がある。各パイロットバーストはＭＡＣ部分２２１によって囲まれる。パイロットバーストとその囲んでいるＭＡＣ部分との各組合せは、対応するハーフスロットを２つのトラフィック搬送セグメントに分ける。ここで、「トラフィック」は、パイロットバーストおよびＭＡＣ部分以外のデータを指す；トラフィックは典型的にペイロードデータを含む。図２に示すように、タイムスロット２２０および２４０のセグメントは、進行時間順に、セグメント２２２、２２４、２２６、２２８、２４２、２４４、２４６、および２４８である。これらのセグメントの各々は４００チップ長でもよく、パイロットバースト２２３、２２７、２４３、および２４７の各々は９６チップ長でもよい。
【００３７】
アクセス端末１３０は、受信回路１３１とデコーダ１３４と等化器１３５とをもつ受信機を含む。アクセス端末およびその構成要素の機能は、メモリ１３７に記憶された命令を実行するプロセッサ１３６によって制御される。動作中、受信機は、タイムスロット２２０／２４０中にパイロットバースト２２３、２２７、２４３、および２４７を含むフレーム２１０をもつ順方向リンクを受信する。アクセス端末は、等化器１３５を訓練するために受信したパイロットバーストを使用して、トラフィック搬送セグメント中のトラフィックを復調するためのタップ係数の対応するセットを得る。
【００３８】
しかしながら、このようにして得られた係数の単一のセットは、前記係数のセットを得るために使用されたパイロットバーストの両側の２つのトラフィックセグメントを復調するために必ずしも使用されるわけではない。代わりに、各セグメントは複数のサブセグメントに分けられる。図２に示すように、たとえば、セグメントの各々は２つのサブセグメントに分割されるが、異なる数が使用されてもよい。したがって、セグメント２２２がサブセグメント２２２−１と２２２−２とに分割され、したがって、セグメント２２４がしたがってサブセグメント２２４−１と２２４−２とに分割され、以下同様にされて、セグメントの数の適切な変更が為される。これらのサブセグメントのうちの少なくともいくつかを復調するために、等化器のタップ係数は、直前および直後のパイロットバーストによって訓練する等化器上で決定された係数を補間することによって決定される。
【００３９】
前記係数は、連続的な（すなわち、連続する）パイロットバーストについて決定された係数間で線形補間できる。連続的なパイロットバースト２２３および２２７について（訓練によって）決定された係数のセットを、それぞれ、ＣＴｋおよびＣＴｋ＋１，ここで、下付き文字は、パイロットバーストの時間指数（ハーフスロットの指数と同じである）を指す，と示す。。また、サブセグメント２２４−１を復調するために使用される等化器タップ係数のセットをＣｋ，１と示す。次いで、係数のこの後者のセットは、ＣＴｋとＣＴｋ＋１との間の時間にわたる線形補間によって次のように決定され得る。
【００４０】
Ｃｋ，１＝（４／５）＊ＣＴｋ＋（１／５）＊ＣＴｋ＋１。
【００４１】
サブセグメント２２４−２、２２６−１、および２２６−２を復調するために使用される等化器係数のセットをそれぞれＣｋ，２、Ｃｋ，３、およびＣｋ，４と示し、それらの値は次のように導出され得る。
【００４２】
Ｃｋ，２＝（３／５）＊ＣＴｋ＋（２／５）＊ＣＴｋ＋１、
Ｃｋ，３＝（２／５）＊ＣＴｋ＋（３／５）＊ＣＴｋ＋１、および
Ｃｋ，４＝（１／５）＊ＣＴｋ＋（４／５）＊ＣＴｋ＋１。
【００４３】
Ｃｋ，ｊ中の第２の下付き文字ｊの数量は、２つの連続的なパイロットバースト２２３と２２７との間の時間間隔内の特定のサブセグメントの指数に対応することに留意されたい。前記係数は、このように、実質的に線形方法で補間される。サブセグメントに適用可能な係数の線形補間は、係数が、サブセグメントの直前および直後のパイロットバースト上で訓練されたタップと同じタップの係数の重み付き値（weighted value）を組み合わせることによって計算されることを意味する；サブセグメントに適用可能な係数の直前および直後の訓練された係数に与えられる重みは、サブセグメントと直前および直後のパイロットバーストとの間の距離に逆相関する。したがって、サブセグメントの中心と直前のパイロットバーストの中心との間の時間距離がｘであり、サブセグメントの中心と直後のパイロットバーストの中心との間の時間距離がｙである場合、直前のパイロットバースト上で訓練された対応する係数に与えられる相対重みは（ｙ／（ｘ＋ｙ））であり、直後のパイロットバースト上で訓練された対応する係数に与えられる相対重みは（ｘ／（ｘ＋ｙ））である。上の例に示すように、この重み付け関係は、たとえば、時間間隔（チップ長）の量子化に起因する小さい偏差を伴って、正確というよりはむしろ実質的に守られ得る。
【００４４】
本文書における補間に関する上記式および他の説明は、各係数セット内の個々の係数の各々に対して同じタイプの動作が実行されることを意味することを理解されたい。説明的な例として、係数の各セットが｛ｃｊ［１］，ｃｊ［２］．．．ｃｊ［ｎ］｝タイプのベクトル，ここで、下付き文字はサブセグメント指数であり、括弧内の数量は、等化器内の個々のタップに対応するタップ指数である，によって表されると仮定する。また、ＣＴｋ＝｛ｃｔｋ［１］，ｃｔｋ［２］，．．．ｃｔｋ［ｎ］｝，ここで、括弧内の数量はまた、タップ指数である，と仮定する。さらに、ＣＴｋ＋１＝｛ｃｔｋ＋１［１］，ｃｔｋ＋１［２］，．．．ｃｔｋ＋１［ｎ］｝，ここで、括弧内の数量は同じくタップ指数である，と仮定する。同じタップに対応する係数は、同じ方法で補間される。
【００４５】
ｃ１［ｍ］＝（４／５）＊ｃｔｋ［ｍ］＋（１／５）＊ｃｔｋ＋１［ｍ］、
ｃ２［ｍ］＝（３／５）＊ｃｔｋ［ｍ］＋（２／５）＊ｃｔｋ＋１［ｍ］、
ｃ３［ｍ］＝（２／５）＊ｃｔｋ［ｍ］＋（３／５）＊ｃｔｋ＋１［ｍ］、および
ｃ４［ｍ］＝（１／５）＊ｃｔｋ［ｍ］＋（４／５）＊ｃｔｋ＋１［ｍ］，全てのｍは、１と、等化器中の最も高いタップ指数を表す数との間である。
【００４６】
いくつかの変形態では、特定のパイロットバースト（付随するＭＡＣ部分を伴う）に隣接するサブセグメントを復調するために使用される係数は補間されないが、代わりに、前記パイロットバーストのために等化器を訓練することから得られる係数がそのようなサブセグメントのために直接使用される。その場合、直前の例は、Ｃｋ，１＝ＣＴｋ、およびＣｋ，４＝ＣＴｋ＋１になるように変更されるが、Ｃｋ，２およびＣｋ，３は依然として上述のように補間される。
【００４７】
１つのパイロットバースト訓練から後続のパイロットバースト訓練へのタップシフトが起こる場合がある。これは、基地局とアクセス端末との間の経時的な粗い周波数オフセット変更に起因する、等化器の質量中心の時間オフセットにおけるドリフトである、質量中心の変更またはタイミングスライドによることがある。等化器性能の改善のために、最も強いマルチパス信号が、ある時間帯内で、適応型有限インパルス応答フィルタの中心の左および右に入るように、等化器をほぼ中心に保つことが望ましいことがある。タップシフト論理は、タップゼロ化論理と組み合わせて、このジョブを行い、必要に応じて等化器をほぼ中心にさせておくために、前記等化器の係数を左または右にシフトすることができる。ゼロ値タップ係数は、シフトの方向に応じて、立上りタップまたは立下りタップを満たすためにシフトインされる。これは、等化器のタイミングを補正するために使用される。タップシフトは、タイム−バーストパイロットと部分的に離間した等化器とを有したシステムにおいて遅れを調節するための方法および装置（Method and Apparatus for Adjusting Delay in Systems With Time-Burst Pilot and Fractionally Spaced Equalizers）と題する、同一出願人による米国特許第７，０１２，９５２号において詳細に説明されている。
【００４８】
次いで、等化器係数は、パイロット訓練が開始する前に正しい方向にシフトされる。このような場合、履歴も同様にシフトされ、それにより、係数の補間は正しい指数で行われる。この文脈における履歴は、前の２つのパイロットバーストからのメモリ中の係数の２つのセットを意味する。
【００４９】
サブセグメンテーションのプロセスは、必ずしも、各サブセグメントが単一のセグメント、単一のハーフスロット、または単一のタイムスロット内に完全に含まれるように実行される必要はない。変形では、サブセグメントは、セグメント境界、ハーフスロット境界、またはタイムスロット境界を横切ることができる。図３に、サブセグメントがタイムスロット境界（さらにセグメント境界およびハーフスロット境界）を横切っているところの一例を示す。図３に示すように、タイムスロット３２０はハーフスロット３２０Ａおよび３２０Ｂを含み、ハーフスロット３２０Ａの中央にはパイロットバースト３２３があり、ハーフスロット３２０Ｂの中央には別のパイロットバースト３２７がある；タイムスロット３４０は同様にハーフスロット３４０Ａおよび３４０Ｂを有し、各ハーフスロットの中央にはパイロットバースト３４３および３４７がある。パイロットバースト３２３／３２７／３４３／３４７の各々は、隣接するＭＡＣ部分３２１によって囲まれる。パイロットバーストとその隣接するＭＡＣ部分との各組合せは、対応するハーフスロットを、２つのトラフィック搬送セグメント，進行時間順に、セグメント３２２、３２４、３２６、３２８、３４２、３４４、３４６、および３４８，に分ける。ここまでは、これは図２に示すものと本質的に同じスロット構造である。しかしながら、ここで、２つの隣接するセグメントの各セットは、５個（奇数）のサブセグメントに分けられる。次に、セグメント３２８および３４２（これらは、パイロットバースト３２７と３４３との間にあり、互いに隣接する）は、サブセグメントＳＢＳ−１、ＳＢＳ−２、ＳＢＳ−３、ＳＢＳ−４、およびＳＢＳ−５に分けられる。ＳＢＳ−３がセグメント境界、ハーフスロット境界、およびタイムスロット境界にまたがることに留意されたい。
【００５０】
等化器は、この場合も、それぞれ訓練された係数ＣＴｋおよびＣＴｋ＋１のセットを得るためにパイロットバースト３２７および３４３によって訓練される。特定のサブセグメントを復調するために、係数のセットが、特定のセグメントを囲んでいる訓練された係数セット間で補間することによって得られる。たとえば、それぞれサブセグメントＳＢＳ−１〜ＳＢＳ−５を復調するための係数Ｃｋ，１〜Ｃｋ，５のセットは、次のように得られ得る：
Ｃｋ，１＝（５／６）＊ＣＴｋ＋（１／６）＊ＣＴｋ＋１、
Ｃｋ，２＝（４／６）＊ＣＴｋ＋（２／６）＊ＣＴｋ＋１、
Ｃｋ，３＝（３／６）＊ＣＴｋ＋（３／６）＊ＣＴｋ＋１、
Ｃｋ，４＝（２／６）＊ＣＴｋ＋（４／６）＊ＣＴｋ＋１、および
Ｃｋ，５＝（１／６）＊ＣＴｋ＋（５／６）＊ＣＴｋ＋１。
【００５１】
この場合も、パイロットバーストにすぐ隣接するサブセグメントについての係数を補間するのではなく、隣接するパイロットバーストについて得られた訓練された係数のセットを使用して特定のサブセグメントを復調することが好ましいかもしれない。たとえば、次いで、Ｃｋ，１はＣＴｋに設定されてもよいし、Ｃｋ，５はＣＴｋ＋１に設定されてもよいし、Ｃｋ，２〜Ｃｋ，４は上述のように補間されてもよい。より一般的には、いくつかの選択されたサブセグメントのみについての係数が、セグメントを囲んでいる訓練された係数の補間によって得られてもよい。もちろん、上記のように、係数のすべてを補間することもできる。
【００５２】
図２および図３は、トラフィックセグメントの等しいサブセグメントへの分割を示しているが、常にこうである必要はない。いくつかのプロセスおよびシステムは、すべてが等しいわけではないサブセグメントへの分割を使用する。さらに、等化は、セグメント中のすべてのデータに対して実行される必要はない。いくつかのシステムでは、等化は、トラフィックセグメント内のプリアンブルに対しては実行されない。この場合、サブセグメンテーションプロセスにプリアンブルを含むこと、またはプリアンブルデータのみを有するサブセグメントに対して補間を実行することは必要ない場合がある。
【００５３】
受信信号のＳＩＮＲは、時々、受信信号を処理する際に使用される。
【００５４】
ＳＩＮＲ測定は、ワイヤレスチャネルの信号対干渉およびノイズ比を推定するための方法および装置（Method and Apparatus for Estimating the Signal to Interference-Plus-Noise Ratio of a Wireless Channel）と題する、同一出願人による米国特許第７，１０６，７９２号により詳細に説明されている。
【００５５】
また、パイロットバーストの間で測定される受信信号のＳＩＮＲは、サブセグメントのために補間されてもよく、次いで、トラフィックセグメント中の情報を処理する際に使用されてもよい。たとえば、ＳＩＮＲは、対数尤度比（ＬＬＲ）を計算するブロックに等化器出力を供給する前にその出力をスケーリングするために補間されてもよい。ＳＩＮＲ補間は、タップ係数に関して本文書全体にわたって説明する方法と同じ方法で行われてもよい。再び図３を参照すると、パイロットバースト３２７および３４３についてのＳＩＮＲ測定値を、それぞれＳＭｋおよびＳＭｋ＋１として示す。次いで、それぞれサブセグメントＳＢＳ−１〜ＳＢＳ−５を処理するための補間されたＳＩＮＲ値ＳＩｋ，１〜ＳＩｋ，５は、次のように得られ得る：
ＳＩｋ，１＝（５／６）＊ＳＭｋ＋（１／６）＊ＳＭｋ＋１、
ＳＩｋ，２＝（４／６）＊ＳＭｋ＋（２／６）＊ＳＭｋ＋１、
ＳＩｋ，３＝（３／６）＊ＳＭｋ＋（３／６）＊ＳＭｋ＋１、
ＳＩｋ，４＝（２／６）＊ＳＭｋ＋（４／６）＊ＳＭｋ＋１、および
ＳＩｋ，５＝（１／６）＊ＳＭｋ＋（５／６）＊ＳＭｋ＋１。
【００５６】
ＳＩＮＲ補間は、対数またはデシベル領域／スケールではなく、線形領域／スケールで実行されてもよい。たとえば、ＳＩＮＲ測定値ＳＭｋおよびＳＭｋ＋１がデシベルで作られる、記憶される、あるいは利用可能な場合、それらは最初に線形スケールに変換され得る。次いで、線形値の補間が実行されてもよいし、その補間された結果は、デシベルに変換されて、デシベル値として記憶されてもよい。
【００５７】
当業者は、本文書を読むことにより、領域またはスケールに適用される「線形」の意味は、補間プロセス自体に適用される「線形」の意味と同じではないことを理解するであろう。たとえば、ＳＩＮＲは、非線形補間方法を使用して線形領域において補間されてもよい。
【００５８】
いくつかの選択されたサブセグメントのみについてのＳＩＮＲ値は、パイロットバーストについて得られたＳＩＮＲ測定値の補間によって得られ得る。たとえば、特定のパイロットバーストにすぐ隣接するサブセグメントの処理の際に使用されるＳＩＮＲ値は、同じ特定のパイロットバーストについて測定されたＳＩＮＲ値に設定されてもよい。もちろん、上記のように、ＳＩＮＲの全てが補間されてもよい。
【００５９】
図４に、タップ係数とＳＩＮＲ補間とを用いて受信機を動作させるためのプロセス４００の選択されたステップを示す。フローポイント４０１において、受信機は、動作可能であり、各ハーフスロットの中央あるパイロットバーストと、前記ハーフスロットの残りの部分の少なくとも一部にあるトラフィックセグメントとを有するタイムスロットを受信するように構成される。
【００６０】
ステップ４０５において、第１のハーフスロットが受信され、前記第１のハーフスロットは、この第１のハーフスロットの中央にある第１のパイロットバーストと、第１のハーフスロットに続く第１のトラフィックセグメントとを含む。
【００６１】
ステップ４１０において、受信機の等化器は、訓練された等化器係数の第１のセットを得るために、第１のパイロットバーストに基づいて訓練される。
【００６２】
ステップ４１５において、第１のパイロットバーストに基づいて、第１の測定されたＳＩＮＲが決定される。
【００６３】
ステップ４２０において、第２のハーフスロットが受信され、前記第２のハーフスロットは、この第２のハーフスロットの中央にある第２のパイロットバーストと、第２のハーフスロットに続く第２のトラフィックセグメントとを含む。
【００６４】
ステップ４２５において、受信機の等化器は、訓練された等化器係数の第２のセットを得るために、受信機の等化器を第２のパイロットバーストに基づいて訓練される。
【００６５】
ステップ４３０において、第２のパイロットバーストに基づいて、第２の測定されたＳＩＮＲが決定される。
【００６６】
ステップ４３５において、第１および第２のトラフィックセグメントは、３つ以上のサブセグメントにサブセグメント化（分割）される。
【００６７】
ステップ４４０において、１つまたは複数のサブセグメントについての補間された係数のセットを得るために第１のセットと第２のセットとの間で等化器係数が補間される。
【００６８】
ステップ４４５において、１つまたは複数のサブセグメントについて補間された１つまたは複数のＳＩＮＲ値を得るために第１の測定されたＳＩＮＲ値と第２の測定されたＳＩＮＲ値との間でＳＩＮＲが補間される。
【００６９】
ステップ４５０において、サブセグメント中のトラフィックは、各サブセグメントに適用可能なタップ係数を使用して等化される。前記サブセグメントの少なくとも１つのための適用可能なタップ係数は、ステップ４４０での補間によって決定されている。次いで、サブセグメント中の前記トラフィックは復調される。
【００７０】
ステップ４５５において、サブセグメント中の復調されたトラフィックは、各サブセグメントに適用可能なＳＩＮＲ値を使用して処理される。たとえば、等化器出力は、ＳＩＮＲ値を使用して等化器出力をスケーリングされる。前記サブセグメントの少なくとも１つのための適用可能なＳＩＮＲは、ステップ４４５での補間によって決定されている。
【００７１】
次いで、プロセス４００は、フローポイント４９９において終了する。プロセスは典型的に、後続のハーフスロットの受信によって繰り返されることに留意されたい。さらに、プロセス４００の１つのインスタンスのステップ（またはステップにおいて得られた結果）のいくつかは、同じプロセスの後続のインスタンスにおいて再利用されてもよい。
【００７２】
ＳＩＮＲ補間およびタップ係数補間は、別々に実行されてもよいし、または一緒に実行されてもよい。したがって、システムは、ＳＩＮＲ補間なしにタップ係数補間を採用してもよいし、タップ係数補間なしにＳＩＮＲ補間を採用してもよいし、またはタップ係数とＳＩＮＲ補間の両方を採用してもよい。後者の場合、タップ係数およびＳＩＮＲは、同じ方法で、および同じサブセグメントにわたって補間されてもよい；あるいは、それらは、異なる方法で、および／または異なるサブセグメントにわたって補間されてもよい。
【００７３】
上記の例では線形または実質的に線形の補間を示したが、他の種類の補間、たとえば、３次補間などの、多項式補間が使用されてもよい。平均化技法が使用されてもよい。平均化は、連続的なパイロットバースト間にあるすべてのサブセグメントについての所与のタップのための、連続的なパイロットバースト上で訓練された係数値の平均の使用を意味する。係数補間のために、線形補間を係数の平均化と併用されてもよい。以下の式は、ハーフスロット時間指数［ｎ−２］（時間指数の早い方）および［ｎ−１］（時間的に後の指数）を用いて示される２つの連続的なパイロットバースト間のサブセグメントについての所与のタップ係数ｃ’ｋを決定するために使用され得る。
【数１】
2011509566.tif 000003
【００７４】
上記の式は、パイロットバースト間に１０２４（２１０）チップ距離を仮定し、これは、時間距離にすると２１０値になる。式中、ｃｋ［ｎ−１］およびｃｋ［ｎ−２］は、それぞれ、［ｎ−１］ハーフスロットおよび［ｎ−２］ハーフスロット中のパイロットバースト上で訓練された所与のタップ係数の値を表し；補間ファクタαは、指数［ｎ−１］におけるサブセグメントの中心からパイロットバーストの中心への距離であり；Ａｖｇは、平均化（または平滑化）と線形補間の重みのバランスをとる平均化ファクタである。たとえば、Ａｖｇ＝０では、式は線形補間のみになり、Ａｖｇ＝１では、式は平均化のみになるが、Ａｖｇ＝０．５では、平均化と線形補間とに等しい重みが与えられる。
【００７５】
異なる種類の補間の非排他的な例は、システムがタップ係数を線形に補間し、ＳＩＮＲに３次補間を使用する場合である。別の非排他的な例は、システムがパイロットバーストに隣接していないサブセグメントについてのタップ係数のみを線形に補間し、全てのサブセグメントについてのＳＩＮＲを３次補間を使用して補間する場合である。さらなる別の非排他的な例は、システムが、ＳＩＮＲ補間のためのサブセグメントの数を、係数補間のために使用するサブセグメントの数よりも多く使用する場合である。もちろん、多くの他の例も可能である。
【００７６】
本文書で説明されるプロセスおよびシステムは、データ最適化されたシステム、すなわち、（音声送信ではなく）データ送信のために最適化されたシステムにおいて使用されてもよく、特に、そのようなシステムは、ダウンリンク（順方向リンク）データ送信のために最適化される。データ最適化されたシステムは、アップリンク（逆方向リンク）データ送信も、いずれの方向の音声送信も除外する必要はない。たとえば、ボイスオーバーインターネットプロトコル（ＶｏＩＰ）送信の場合、音声がデータとして送信されてもよいことに留意されたい。また、前記プロセスおよびシステムは、データのみのシステム、すなわち、データ送信のみのために使用されるシステムにおいて使用されてもよい。さらに、前記プロセスおよびシステムは、それ自体での音声送信、すなわち、ＶｏＩＰを使用しない音声送信において使用されてもよい。
【００７７】
説明されたプロセスおよびシステムは、ワイヤレスセルラー通信システムのアクセス端末において使用されてもよい。また、前記プロセスおよびシステムは、ワイヤレスセルラー通信システムの無線ネットワーク側で、たとえば、送受信基地局において使用されてもよい（または代わりにしようされてもよい）。前記プロセスおよびシステムは、レイク受信機の有無にかかわらず使用され得る。
【００７８】
いくつかのシステムでは、等化器係数を補間するためのステップはファームウェアに記憶され、他のシステムでは、前記ステップはソフトウェアに記憶される。しかしながら、これらのストレージ選択は、必ずしもすべてのシステムにおいて必要とされるわけではない。
【００７９】
本開示では、様々な方法のステップおよび決定について連続的に説明したが、これらのステップおよび決定のいくつかは、別々の要素によって、連携してまたは並列に、非同期にまたは同期に、パイプライン方式で、または他の方法で実行されてもよい。明示的にそのように示されているか、さもなければ文脈から明らかであるか、または本質的に必要とされる場合を除き、ステップおよび決定を本説明でそれらを記載した順序と同じ順序で実行する必要は特にない。しかしながら、選択された変形態では、ステップおよび決定は、上述のおよび／または添付の図に示した特定の順序で実行されることに留意されたい。さらに、図示したあらゆるステップおよび決定が本発明によるあらゆるシステムで必要とされない場合もあり、本発明によるいくつかのシステムでは、具体的に示されていなかったいくつかのステップおよび決定が望ましいまたは必要な場合がある。
【００８０】
また、当業者は、情報および信号が、様々な技術および技法のいずれかを使用して表現され得ることを理解するであろう。たとえば、上記の説明の全体にわたって言及することがあるデータ、命令、コマンド、情報、信号、ビット、シンボル、およびチップは、電圧、電流、電磁波、磁界または磁粒子、光場または光学粒子、あるいはそれらの任意の組合せによって表現され得る。
【００８１】
さらに、当業者は、ここで開示される実施形態に関して説明した様々な例示的な論理ブロック、モジュール、回路、およびアルゴリズムステップが、電子ハードウェア、コンピュータソフトウェア、またはこの両方の組合せとして実装され得ることを諒解するであろう。ハードウェアとソフトウェアとのこの互換性を明瞭に説明するために、様々な例示的な構成要素、ブロック、モジュール、回路、およびステップについては、概してそれらの機能の観点から上記で説明した。このような機能をハードウェアとして実現するか、ソフトウェアとして実現するか、またはハードウェアとソフトウェアの組合せとして実現するかは、特定の適用例およびシステム全体に課せられる設計上の制約に依存する。当業者は、説明した機能を特定の適用例ごとに様々な方法で実装することができるが、そのような実装の決定は、本発明の範囲からの逸脱を生じるものと解釈されるべきではない。
【００８２】
ここで開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいはここで説明した機能を実行するように設計されたそれらの任意の組合せを用いて実装または実行され得る。汎用プロセッサはマイクロプロセッサとすることができるが、代替として、前記プロセッサは、任意のプロセッサ、コントローラ、マイクロコントローラ、または状態マシンとすることができる。前記プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装されてもよい。
【００８３】
ここで開示した実施形態に関して説明した方法およびアルゴリズムのステップは、ハードウェアで直接、プロセッサによって実行されるソフトウェアモジュールで、またはその２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られている他の形態の記憶媒体に常駐してもよい。例示的な記憶媒体は、プロセッサが記憶媒体から情報を読むことができ、記憶媒体に情報を書き込むことができるようにプロセッサに結合される。代替として、記憶媒体はプロセッサに一体化されてもよい。プロセッサおよび記憶媒体はＡＳＩＣ中に常駐することができる。ＡＳＩＣはアクセス端末中に常駐することができる。代替として、プロセッサおよび記憶媒体は、離散構成要素としてアクセス端末中に常駐することができる。
【００８４】
開示した実施形態の前述の説明は、当業者が本発明を実施または使用できるようにするために提供されるものである。これらの実施形態への様々な修正は、当業者には容易に明らかとなり、本明細書で定義した上位概念を他の実施形態に適用することができる。したがって、本発明は、本明細書に示す実施形態に限定されるものではなく、本明細書で開示する原理および新規の特徴と一致する最も広い範囲を与えられるべきある。
【図１】
2011509566.tif 000004
【図２】
2011509566.tif 000005
【図３】
2011509566.tif 000006
【図４】
2011509566.tif 000007
【国際調査報告】
2011509566.tif 000008
2011509566.tif 000009
2011509566.tif 000010
2011509566.tif 000011
2011509566.tif 000012